(57)【要約】  集塵機に固定された筒状フィルタ２０に装着されるリテーナ１であって、筒状フィルタ２０の開口端１７ａに係止されるベンチュリ５と、ベンチュリ５と対向配置され、且つベンチュリ５と複数の縦線材６で接続された底板キャップ８と、底板キャップ８の中央に固定された連結ナット９と、該連結ナット９に回転可能に係止されるアジャストボルト１０と、底板キャップ８の縁部に環状に穿孔された複数の挿入孔８ａを貫通する複数の延長縦線材１２と、該複数の延長縦線材１２が係止され、且つアジャストボルト１０の一端が回転可能に固定された延長底板キャップ１１を有する延長ユニット１５と、を有することを特徴とするリテーナ。
2013171860.tif 000002
【特許請求の範囲】
【請求項１】
集塵機に固定された筒状フィルタに装着されるリテーナであって、
前記筒状フィルタの開口端に係止されるベンチュリと、
前記ベンチュリと対向配置され、且つ前記ベンチュリと複数の縦線材で接続された底板キャップと、
前記底板キャップの中央に固定された連結ナットと、該連結ナットに回転可能に係止されるアジャストボルトと、
前記底板キャップの縁部に環状に穿孔された複数の挿入孔を貫通する複数の延長縦線材と、該複数の延長縦線材が係止され、且つ前記アジャストボルトの一端が回転可能に固定された延長底板キャップを有する延長ユニットと、
を有することを特徴とするリテーナ。
【請求項２】
前記アジャストボルトの先端には嵌合金具を有し、
該嵌合金具に接続して前記アジャストボルトを回転させる伸縮用ハンドルを有することを特徴とする請求項１記載のリテーナ。
【請求項３】
前記アジャストボルトを回転させることで、前記連結ナットが固定された前記底板キャップを基点に前記アジャストボルトの一端が固定された前記延長底板キャップが移動して前記延長ユニットを伸縮させるように、前記アジャストボルトの雄ネジ部と前記連結ナットの雌ネジ部とが噛合わされていることを特徴とする請求項１記載のリテーナ。
【請求項４】
前記延長縦線材の先端部が、くの字状に所定の角度で折り曲げられていることを特徴とする請求項１記載のリテーナ。
【請求項５】
前記ベンチュリは前記複数の縦線材から着脱可能な係止機構を有し、
更に開口部の直径を縮めることを可能にするスリット部、前記筒状フィルタの開口端の内壁を押圧して係止するロック溝、前記開口端から印加された加圧空気を前記筒状フィルタの内部に導入するロート状のコーン部のいずれか１つ又は２つ若しくは全てを有することを特徴とする請求項１記載のリテーナ。
【請求項６】
前記ベンチュリと前記底板キャップと前記延長底板キャップの形状が、前記筒状フィルタの開口端の形状に合わせて円形状、楕円形状、多角形状のいずれか１つで形成されていることを特徴とする請求項１記載のリテーナ。
【発明の詳細な説明】
【技術分野】
【０００１】
本発明は、集塵機の濾過装置に取付けられた筒状フィルタに装着される伸縮機能を有したリテーナに関する。
【背景技術】
【０００２】
パルス集塵機等の濾過装置に使用されている濾過フィルタは、濾過装置のフィルタパネルの開口部に固定できる筒状フィルタが一般的に使用されている。筒状フィルタに使用される濾過布の素材は、ポリアミドやＰＴＥＦ（ポリテトラフルオロエチレン）等の耐熱性を有する繊維布材が使用されている。【０００３】
通常、除塵するガス流が集塵部の濾過布の外側から濾過布の内部に導入されて筒状フィルタの開口端から外部に排出される。そのため、筒状フィルタの集塵部がガス流圧で押し潰されないように、筒状フィルタをフィルタパネルに固定した後にリテーナを装着して集塵部の筒形状を維持している。【０００４】
例えば、特許文献１に記載されたリテーナ及び濾過装置では、パルス型集塵機に使用されるバグフィルタ等において、円筒形状の筒状フィルタの捕集機能を損なうことなく長期間安定的な塵埃の払落し機能を確保するため、装着された筒状フィルタの内部にリテーナと共に圧縮バネを取付けて、筒状フィルタに圧縮バネによる所定の荷重を加えて緊張させる構造が開示されている。
【先行技術文献】
【特許文献】
【０００５】
【特許文献１】特開２０１０−５８０３３号公報
【発明の概要】
【発明が解決しようとする課題】
【０００６】
しかし、長時間集塵機に装着された筒状フィルタは、高温高圧のガス流に晒されて使用されるため、集塵部の濾過布に使用されている繊維が伸びて弛みが発生することは避けられない。【０００７】
また、従来のリテーナの長さは、集塵機に筒状フィルタと共に装着した当初のままで長さを延長できない構造であった。【０００８】
更に、定期的に実施される保守作業では、開口端側から加圧空気（エアーパルス）を筒状フィルタに印加し集塵部に堆積した塵埃を払い落とすため、間欠的な衝撃で濾過布に膨張と振動を加えている。そのため、集塵部の弛んだ濾過布とリテーナの縦線材とが局所的に擦れて破損する問題があった。【０００９】
本発明は、以上の課題に着目して成されたもので、集塵機の濾過装置に取付けられる筒状フィルタの集塵部の弛みに起因する筒状フィルタの破損を防止することが可能な伸縮機能を有するリテーナを提供することを目的とする。
【課題を解決するための手段】
【００１０】
本発明は、上述の目的を達成するため、以下（１）〜（６）の構成を備えるものである。【００１１】
（１）集塵機に固定された筒状フィルタに装着されるリテーナであって、前記筒状フィルタの開口端に係止されるベンチュリと、前記ベンチュリと対向配置され、且つ前記ベンチュリと複数の縦線材で接続された底板キャップと、前記底板キャップの中央に固定された連結ナットと、該連結ナットに回転可能に係止されるアジャストボルトと、前記底板キャップの縁部に環状に穿孔された複数の挿入孔を貫通する複数の延長縦線材と、該複数の延長縦線材が係止され、且つ前記アジャストボルトの一端が回転可能に固定された延長底板キャップを有する延長ユニットと、を有することを特徴とするリテーナ。【００１２】
（２）前記アジャストボルトの先端には嵌合金具を有し、該嵌合金具に接続して前記アジャストボルトを回転させる伸縮用ハンドルを有することを特徴とする前記（１）記載のリテーナ。【００１３】
（３）前記アジャストボルトを回転させることで、前記連結ナットが固定された前記底板キャップを基点に前記アジャストボルトの一端が固定された前記延長底板キャップが移動して前記延長ユニットを伸縮させるように、前記アジャストボルトの雄ネジ部と前記連結ナットの雌ネジ部とが噛合わされていることを特徴とする前記（１）記載のリテーナ。【００１４】
（４）前記延長縦線材の先端部が、くの字状に所定の角度で折り曲げられていることを特徴とする前記（１）記載のリテーナ。【００１５】
（５）前記ベンチュリは前記複数の縦線材から着脱可能な係止機構を有し、更に開口部の直径を縮めることを可能にするスリット部、前記筒状フィルタの開口端の内壁を押圧して係止するロック溝、前記開口端から印加された加圧空気を前記筒状フィルタの内部に導入するロート状のコーン部のいずれか１つ又は２つ若しくは全てを有することを特徴とする前記（１）記載のリテーナ。【００１６】
（６）前記ベンチュリと前記底板キャップと前記延長底板キャップの形状が、前記筒状フィルタの開口端の形状に合わせて円形状、楕円形状、多角形状のいずれか１つで形成されていることを特徴とする前記（１）記載のリテーナ。
【発明の効果】
【００１７】
集塵機の濾過装置に取付けられる筒状フィルタの集塵部の弛みに起因する筒状フィルタの破損を防止することが可能な伸縮機能を有するリテーナを提供できる。
【図面の簡単な説明】
【００１８】
【図１】本実施例に係るリテーナの構成を示し、（ａ）伸縮用ハンドルと伸縮リテーナの構造図、（ｂ）アジャストボルトと伸縮用ハンドル接続部のＡ部拡大図
【図２】フィルタパネルにリテーナを装着する方法を示す図
【図３】本実施例に係るリテーナの機能を示し、（ａ）新品の筒状フィルタに取付けたリテーナを示す図、（ｂ）弛みの発生した筒状フィルタに取付けたリテーナを示す図、（ｃ）弛みの発生した筒状フィルタを緊張させるリテーナの延長機能を示す図
【図４】本実施例に係るリテーナの構成部品の別の構造例で、（ａ）角形ベンチュリを示す図、（ｂ）スリット構造のベンチュリを示す図、（ｃ）コーン部のない帯状のベンチュリを示す図、（ｄ）伸縮用ハンドルの十字フックの先端金具を示す図、（ｅ）アジャストボルト先端のヘラ状の嵌合金具を示す図、（ｆ）アジャストボルト先端の十字ヘラ状の嵌合金具を示す図
【発明を実施するための形態】
【００１９】
以下、本発明を実施するための形態を、実施例により詳しく説明する。尚、フィルタパネルに取付けられる筒状フィルタの形状は、円筒形、楕円筒形、三角筒形、四角筒形等の多様な種類があり、以下の実施例では説明を簡単にするため円筒形状の筒状フィルタに対応する円筒形状のリテーナで説明する。
【実施例１】
【００２０】
図１は本実施例に係るリテーナで、着脱可能で伸縮機能を有する構造となっている。図１（ａ）は円筒形状のリテーナの部品構成を示し、図１（ｂ）はアジャストボルト１０を回転させる伸縮用ハンドル３の先端金具４の接続部Ａの要部拡大図と、アジャストボルト１０との接続を示す。【００２１】
図１（ａ）に示すように、リテーナ１のアジャストボルト１０に接続するためのパイプ材で形成されたＴ字形の伸縮用ハンドル３は、手で握るグリップ２ａと柄部２ｂとハンドル先端に固定された先端金具４から構成されている。また、図１（ｂ）に示す伸縮用ハンドル３の先端金具４の接続部分は、中央にアジャストボルト１０の先端部に固定された嵌合金具１４の凹形の受け溝１４ａと接続する凸型の突出部４ｂと、嵌合金具１４を保持する環状縁４ａを有する。【００２２】
尚、着脱可能な伸縮用ハンドル３の代わりに、アジャストボルト１０の先端部にハンドルを固定した構造であっても良い。【００２３】
リテーナ１の材料は、一般圧延鋼材（ＳＳ４００等）やステンレス鋼材等の鉄鋼材料の板材や線材で作成され、用途や仕様及びコストによって使われる材料が選択されるため、材料の種類を限定しない。【００２４】
リテーナ１の固定部分として、円筒形状の筒状フィルタ２０（図２参照）の先端筒部１７（図２参照）の開口端１７ａに嵌め込まれるベンチュリ５と、通気孔８ｂが形成された底板キャップ８と、その間を連結する複数の縦線材６と、当該縦線材６に溶接された複数のリング７とで構成されている。更に、底板キャップ８を貫通する延長縦線材１２とアジャストボルト１０が固定された延長底板キャップ１１を有する延長ユニット１５が連結されている。【００２５】
ベンチュリ５は、鋼板を絞り加工等で所定の形状に成形される。筒状フィルタ２０の先端筒部１７に被せて、開口端１７ａを内側と外側から挟み込んで固定するカップ部５ｂと、ベンチュリ開口部５ｃから注入されるエアーパルスの流れを絞り込んで、筒状フィルタ２０の底部まで導入するためのロート状のコーン部５ａを有する。【００２６】
ベンチュリ５と底板キャップ８を連結する縦線材６は、環状に配置された鉄鋼線材で形成されている。縦線材６の線材同士を所定の間隔で連結するため、同じ鉄鋼線材の複数のリング７を溶接し、平行に配置された縦線材６の捻じれを防止してリテーナ１の剛性を高めている。【００２７】
底板キャップ８は、中央に連結ナット９が固定され、アジャストボルト１０が回転可能に係止されている。底板キャップ８に形成された通気孔８ｂは、流入ガスの流れを阻害しないように複数形成されている。また、底板キャップ８の縁部には、延長ユニット１５の延長縦線材１２を通す複数の挿入孔８ａが環状に穿孔されている。【００２８】
延長ユニット１５は、延長底板キャップ１１とアジャストボルト１０と延長縦線材１２から構成され、延長底板キャップ１１の中央部には、アジャストボルト１０を回転可能に係止するアジャスタフット１３が固定されている。アジャストフット１３の構造は、アジャストボルト１０の先端部に環状クリップの係止溝を設け、延長底板キャップ１１を両側から環状クリップで挟み込みアジャストボルト１０を回転可能に係止する簡便な構造であっても良い。【００２９】
アジャストボルト１０は、ベンチュリ５側の先端部に凹形の受け溝１４ａを有する嵌合金具１４を形成し、他方の端部は延長底板キャップ１１に固定されているアジャスタフット１３に回転可能に係止されている。底板キャップ８の連結ナット９は、その内壁に雌ネジが形成されており、アジャストボルト１０に形成された雄ネジを挿入して噛合わせ、アジャストボルト１０を回転させることで底板キャップ８を基点として延長ユニット１５を伸縮させるスクリュージャッキの機能を果たしている。【００３０】
延長縦線材１２は、同じ長さの線材を延長底板キャップ１１に所定の間隔で環状に配置して溶接されている。夫々の線材は、底板キャップ８に穿孔された挿入孔８ａに挿入され貫通し、その先端部１２ａは所定の角度で内側にくの字状に折り曲げられた形状を有し、脱落防止用のストッパとして機能する。【００３１】
延長ユニット１５の伸縮幅が大きい場合は、延長縦線材１２の捩れを防止して剛性を高めるリングを、延長縦線材１２に溶接した構造であっても良い。【００３２】
尚、ベンチュリ５は、係止されている縦線材６の先端部から取外すことが可能な構造と、縦線材６の先端がベンチュリ５に溶接された構造とを有し、特に着脱可能な構造の場合は、装着及び点検時の作業性の向上と、或いは仕様に合わせて角形ベンチュリ、スリットベンチュウリ、帯状ベンチュリ等に交換することができる。【００３３】
着脱可能な構造として、例えば図１（ａ）に示すベンチュリ５のカップ部５ｂの内側のコーン部５ａに連なる縁部分に、縦線材６の先端部を貫通させ且つ縦線材６の弾性力を利用して固定するための複数の穿孔を設けた係止機構であっても良い。係止機構は、縦線材６を固定するリング７の直径より少し狭い位置に穿孔することで、ベンチュリ５のカップ部５ｂの内壁に縦線材６の先端部を強力に押し付ける弾性力が働き、固定することができる。【００３４】
リテーナ１及び筒状フィルタ２０の直径や長さ等のサイズは、集塵機ごとに異なり、設計仕様によってサイズが決まるため限定しない。一般的な集塵機の使用例として、リテーナ１の直径は１２０ｍｍ、１５０ｍｍ、１６５ｍｍ、長さは約１２５０ｍｍ等の製品が作成されている。また、複数の筒状フィルタ２０を連結した製品にも対応し、長いリテーナ１も作成することができる。【００３５】
図２に示すように、集塵機に導入される流入ガスＧａの流れは、筒状フィルタ２０の外側から濾過布内部に導入され、集塵部１８で除塵された流出ガスＧｂが開口端１７ａから外部に排出される。【００３６】
筒状フィルタ２０の集塵部１８は、プリーツ構造（例えば特開２００７−２３７１６０号公報を参照）で形成することで、集塵面積の広い濾過布の構造が可能となり、筒状フィルタ２０の集塵効果の高い製品となっている。【００３７】
筒状フィルタ２０の構造は、フィルタパネル１６の開口孔１６ａに係止される開口端１７ａを有する先端筒部１７と、集塵機能を発揮するプリーツ加工された集塵部１８と、別の筒状フィルタ２０を連結して長尺化することも可能な終端部１９で構成されている。筒状フィルタ２０の終端部１９は、固定されていない構造と、固定用の紐材や引張バネで集塵機に固定する構造があり、何れの構造であっても良い。【００３８】
＜リテーナの装着方法＞
図２に示すように、本実施例に係るリテーナ１は、集塵機のフィルタパネル１６に筒状フィルタ２０を取付けた後で挿入し、装着したまま筒状フィルタ２０と一体的に使用するユニットである。筒状フィルタ２０を廃棄する場合には、リテーナ１を再利用するため筒状フィルタ２０から取り外す。【００３９】
リテーナ１を装着する方法は、フィルタパネル１６の開口孔１６ａに固定されている筒状フィルタ２０の開口端１７ａからリテーナ１を挿入し、リテーナ１のベンチュリ５のカップ部５ｂを筒状フィルタ２０の開口端１７ａと嵌合させて固定する。また、リテーナ１のベンチュリ５は着脱可能な構造のため、作業性を考慮して後からリテーナ１に装着して筒状フィルタ２０の開口端１７ａと嵌合させても良い。【００４０】
挿入されたリテーナ１の延長ユニット１５は、延長底板キャップ１１が筒状フィルタ２０のポケット構造の終端部１９に挿入され、筒状フィルタ２０に弛みＳが発生しないように固定する。【００４１】
＜リテーナの伸縮機能＞
図３を使って、本実施例に係るリテーナ１の伸縮機能を説明する。一般に使用されている筒状フィルタ２０の濾過布は、ＰＴＦＥ等の耐熱繊維材で形成されているが、約１８０℃で軟化する特性があり、高温高圧の流入ガスＧａに長時間晒されると耐熱繊維材の伸びは避けられない。そのため筒状フィルタ２０は、集塵機のフィルタとして長期間使用すると、高温高圧の流入ガスと塵による目詰まりとで圧力増加を受け、筒状フィルタ２０の集塵部１８の濾過布繊維に伸張力が加わり弛みＳが発生する。【００４２】
定期的に実施される筒状フィルタ２０の目詰まりを取除く作業は、筒状フィルタ２０に装着されたリテーナ１のベンチュリ５側から、圧縮空気を利用したエアーパルスＧｃの加圧空気を注入して実施される。エアーパルスＧｃによって、筒状フィルタ２０のプリーツ加工した集塵部１８を間欠的に緊張と弛緩を繰り返させ、効果的に繊維に付着した塵埃を払い落として集塵部１８の目詰まりを解消させる。【００４３】
図３（ａ）に示す新品の筒状フィルタ２０に交換した場合は、集塵部１８には弛みＳがないため、延長ユニット１５を縮めて最小の長さＬの状態でリテーナ１を装着してフィルタパネル１６に固定されている。【００４４】
図３（ｂ）に示すように長時間使用した筒状フィルタ２０は、集塵部１８の耐熱繊維材が伸びて弛みＳが発生した状態となる。最小の長さＬに設定されたリテーナ１では、筒状フィルタ２０の集塵部１８に生じた伸びの長さ分（ｄＬ）の弛みＳをカバーできない。この状態で目詰まりを取除く定期点検作業を実施すると、１０〜２０秒間隔で印加されるエアーパルスＧｃの間欠的な加圧空気により、集塵部１８は濾過布の弛みＳにより大きな脈動を伴う膨張と弛緩を繰り返す。筒状フィルタ２０の集塵部１８の弛みＳが大き過ぎると、特に終端部１９付近ではエアーパルスＧｃによる衝撃が大きくなり、リテーナ１の縦線材６とプリーツ加工された濾過布との間で過大な摩擦が生じて濾過布が断裂する場合がある。【００４５】
そのためリテーナ１には、集塵部１８の濾過布の断裂の防止と、濾過布の目詰まりの解消とを両立させる方策が求められ、更に、エアーパルスＧｃで印加する加圧空気を効果的に利用できる構造も求められている。【００４６】
その結果、本発明に係るリテーナ１は、延長ユニット１５の伸縮機能により筒状フィルタ２０を長手方向に延長し、弛みＳを取除く構造を実現した。【００４７】
図３（ｃ）に示すように、リテーナ１に付属するＴ字形の伸縮用ハンドル３を利用して、延長ユニット１５のアジャストボルト１０の嵌合金具１４と連結し回転させる。アジャストボルト１０と連結ナット９は、その噛合せ構造によるスクリュージャッキの機能を発揮して延長ユニット１５を延長させる。その結果、筒状フィルタ２０の終端部１９に挿入されている延長底板キャップ１１を、集塵部１８の弛みＳが解消される長さ（Ｌ＋ｄＬ）まで延長することができる。【００４８】
集塵部１８を引っ張ることで、圧縮空気を使ったエアーパルスＧｃによる加圧空気の振動を加えても、集塵部１８が緊張と弛緩を繰り返して拍動することがなくなり、エアーパルスＧｃの圧力振動のみが濾過布に伝達される。リテーナ１の底板キャップ８には複数の通気孔８ｂが形成されているため、エアーパルスＧｃの流れを阻害せず終端部１９まで加圧空気を導入する。その結果、引っ張られた筒状フィルタ２０の集塵部１８には、効果的にエアーパルスＧｃの振動が伝達され、濾過布の繊維材に付着した塵埃の結合が緩み、加圧空気の噴流によって繊維材の目詰まりも簡単に払い落とすことができる。
【実施例２】
【００４９】
図４は、リテーナ１を構成する各部品の別の構造例である。図４（ａ）は角形ベンチュリ２１、図４（ｂ）はスリット構造を有するスリットベンチュリ２２、図４（ｃ）はコーン部のない帯状ベンチュリ２３を示す。図４（ｄ）は伸縮用ハンドル３の先端部に十字フック２４ａ，２４ｂを有するフック金具２４である。図４（ｅ）はアジャストボルト１０先端のヘラ状金具２５、図４（ｆ）はアジャストボルト１０先端の十字ヘラ状金具２６の構造を有する嵌合金具である。【００５０】
ベンチュリ５は、交換可能な構造を有しているため、仕様に合わせて装着されるベンチュリ５の構造を説明する。【００５１】
図４（ａ）に示す角形ベンチュリ２１は、円形のベンチュリ５のカップ部５ｂと同じ嵌め込み機構のカップ部２１ｂを有している。サイズ等によっては、カップ部２１ｂの四隅に固定用ボルトＭ等の固定金具を取付けて、ベンチュリ２１の固定機能をより強化できる。【００５２】
図４（ｂ）に示すコーン部２２ａとスリット溝２２ｄを有するスリットベンチュリ２２は、固定された筒状フィルタ２０の先端筒部１７を内側から押し広げる帯状部２２ｂの押圧と、帯状部２２ｂに形成されたロック溝２２ｅで固定する構造である。リテーナ１を着脱する際、スリット溝２２ｄを窄めることでベンチュリ開口部２２ｃの径を可変できる。【００５３】
図４（ｃ）に示すコーン部２２ａを取り除いた帯状ベンチュリ２３は、円環状に形成されたベンチュリ開口部２３ｃの径を可変できるスリット溝２３ｄと、帯状部２３ｂと、ロック溝２３ｅとを有する簡便で安価な構造である。帯状ベンチュリ２３にスリット溝２３ｄを設けた構造は、帯状部２３ｂを形成する鉄鋼板の弾性機能を利用するものである。ベンチュリ開口部２３ｃは、帯状部２３ｂを窄めることで帯状の鉄鋼板が元の径に戻ろうとする弾性力を利用して筒状フィルタ２０の先端筒部１７を内側から押圧する。更に帯状部２３ｂは、筒状フィルタ２０の開口端１７ａの内側をロック溝２３ｅで確実に固定する構造を備えている。【００５４】
尚、帯状ベンチュリ２３の場合は、縦線材６の先端部を帯状部２３ｂに溶接した構造であっても良い。【００５５】
図４（ｄ）は、付属する伸縮用ハンドル３の先端金具の形状で、十字フック２４ａ，２４ｂを有するフック金具２４は、嵌合するアジャストボルト１０の嵌合金具の形状に対応した形状となっている。【００５６】
図４（ｅ）は、アジャストボルト１０の先端の嵌合金具の形状で、四角形の板材で形成されたヘラ状金具２５である。【００５７】
図４（ｆ）は、アジャストボルト１０の先端に四角形の板材のヘラ板２６ａ，２６ｂを十字に交差させて形成された十字ヘラ状金具２６である。ヘラ状金具２５と十字ヘラ状金具２６は、図４（ｄ）に示した伸縮用ハンドル３先端のフック金具２４と接続して回転操作を実施する。【００５８】
以上の説明では、開口端１７ａが円形の筒状フィルタ２０について説明したが、集塵機に装着されているフィルタパネル１６の開口孔１６ａの形状は、円形や楕円形、三角状或いは四角形等の多種多様な形状があり、装着する筒状フィルタ２０の形状も、開口孔１６ａの形状に合わせて円筒形、楕円筒形、三角筒形や四角筒形等の多角形状に成形される。従って、挿入されるリテーナ１の構成部品の形状も筒状フィルタ２０の形状に合わせて、円形、楕円形、三角形や四角形等の多角形に成形されるため、リテーナ１の形状を円筒形に限定するものではない。【００５９】
リテーナ１の他の構成部品は、実施例１と同一のため説明は省略する。
【符号の説明】
【００６０】
Ｇａ    流入ガス
Ｇｂ    流出ガス
Ｇｃ    エアーパルス
Ｌ      長さ
Ｓ      弛み
Ｍ      ボルト
１      リテーナ
２ａ    グリップ
２ｂ    柄部
３      伸縮用ハンドル
４      先端金具
５      ベンチュリ
５ａ    コーン部
５ｂ    カップ部
５ｃ    ベンチュリ開口部
６      縦線材
７      リング
８      底板キャップ
８ａ    挿入孔
８ｂ    通気孔
９      連結ナット
１０    アジャストボルト
１１    延長底板キャップ
１２    延長縦線材
１２ａ  先端部
１３    アジャスタフット
１４    嵌合金具
１４ａ  受け溝
１５    延長ユニット
１６    フィルタパネル
１６ａ  開口孔
１７    先端筒部
１７ａ  開口端
１８    集塵部
１９    終端部
２０    筒状フィルタ
２１    角形ベンチュリ
２２    スリットベンチュリ
２３    帯状ベンチュリ
２４    フック金具
２５    ヘラ状金具
２６    十字ヘラ状金具
【図１】
2013171860.tif 000003
【図２】
2013171860.tif 000004
【図３】
2013171860.tif 000005
【図４】
2013171860.tif 000006
【国際調査報告】
2013171860.tif 000007
2013171860.tif 000008
2013171860.tif 000009
2013171860.tif 000010